(57)【要約】【課題】 分草体を左右に回動操作する遠隔操作レバーを穀稈の引起し搬送に支障をきたさない適所に配置して、引起し後の穀稈に対する干渉を防止し、また、刈取部の上昇時における遠隔操作レバーと操作ボックスから上方に突設するハンドルとの干渉を防止する。【解決手段】運転席（５）側前方に位置する右分草体（１１Ｒ）を上下方向の軸（１６）の回りに左右方向へ回動自在に取り付け、運転席（５）前方のフロント操作パネル（６）から上方に突設するアーチ状のハンドル（７）は、該ハンドルの左右方向外端側を上方に高くして高位ハンドル部（７ａ）とし、内端側を外端側よりも低くして低位ハンドル部（７ｂ）を形成し、前記右分草体（１１Ｒ）を左右に回動操作する遠隔操作レバー（２０）を、最も右側に位置する引起しケース（１２Ｒ）の右外側方で且つ前記固定ハンドル杆（７）の低位ハンドル部（７ｂ）の前方に臨む位置に配置する。【選択図】        図２
2008295339.tif 000002
【特許請求の範囲】
【請求項１】
植立穀稈を左右に分草する分草体（１１）と分草後の穀稈を引き起す引起し装置（１２）と引起し後の穀稈を刈り取る刈取装置（１３）を備えた刈取部（４）を車体に対して昇降可能に設け、該刈取部（４）の運転席（５）側の位置に設ける右分草体（１１Ｒ）を上下方向の軸（１６）の回りに左右回動自在に取り付け、運転席（５）の前方のフロント操作パネル（６）からアーチ状のハンドル（７）を上方に突設し、該ハンドル（７）の左右方向外端側を高くして高位ハンドル部（７ａ）を形成し、該ハンドル（７）の左右方向内端側を外端側よりも低くして低位ハンドル部（７ｂ）を形成し、前記右分草体（１１Ｒ）を左右に回動操作する遠隔操作レバー（２０）を、最も右側に位置する引起しケース（１２Ｒ）の右外側方の位置で且つ前記低位ハンドル部（７ｂ）の前方に臨む位置に配置したことを特徴とするコンバイン。
【発明の詳細な説明】
【技術分野】
【０００１】
この発明は、植立穀稈を分草する穀稈分草装置を備えたコンバインに関するものである。
【背景技術】
【０００２】
従来、例えば、特許文献１には、既刈地側の分草体を左右内外へ回動自在に設け，引起しケースの背部に設けた遠隔操作レバーの左右方向の操作により、分草体を左側（内側）又は右側（外側）へ回動操作するように構成したものが開示されている。
【特許文献１】特開２００６−１５８３３２号公報
【発明の開示】
【発明が解決しようとする課題】
【０００３】
上記従来のものでは、遠隔操作レバーが引起しケースの背部に設置されたものであるため、引起し後の穀稈と干渉し，以後の引起し搬送に支障をきたす問題があった。また、最も右側に位置する穀稈引起し装置が運転席前側のフロント操作ボックスの前方に配置されているものでは、遠隔操作レバーが刈取部の上昇によって操作ボックス上に突設されたアーチ状の固定ハンドル杆と干渉し，刈取部の上昇範囲が制約される問題があった。
【０００４】
本発明の課題は、遠隔操作レバーを穀稈の引起し搬送に支障をきたさない適所に配置して、引起し後の穀稈に対する干渉を防止し、また、刈取部の上昇時における遠隔操作レバーと固定ハンドル杆との干渉を防止することにある。
【課題を解決するための手段】
【０００５】
この発明は、上記課題を解決すべく次のような技術的手段を講じた。
すなわち、植立穀稈を左右に分草する分草体（１１）と分草後の穀稈を引き起す引起し装置（１２）と引起し後の穀稈を刈り取る刈取装置（１３）を備えた刈取部（４）を車体に対して昇降可能に設け、該刈取部（４）の運転席（５）側の位置に設ける右分草体（１１Ｒ）を上下方向の軸（１６）の回りに左右回動自在に取り付け、運転席（５）の前方のフロント操作パネル（６）からアーチ状のハンドル（７）を上方に突設し、該ハンドル（７）の左右方向外端側を高くして高位ハンドル部（７ａ）を形成し、該ハンドル（７）の左右方向内端側を外端側よりも低くして低位ハンドル部（７ｂ）を形成し、前記右分草体（１１Ｒ）を左右に回動操作する遠隔操作レバー（２０）を、最も右側に位置する引起しケース（１２Ｒ）の右外側方の位置で且つ前記低位ハンドル部（７ｂ）の前方に臨む位置に配置したことを特徴とするコンバインとしたものである。
【０００６】
遠隔操作レバー２０の操作により、分草体１１Ｒを左内側方又は右外側方へ回動操作し、分草幅を広くしたり狭めたりして穀稈の導入量を調整する。
遠隔操作レバー２０は、刈取部の最も右側に位置する引起しケース１２Ｒの右外側方に配置し，且つ、フロント操作パネル６の前側に配置しているので、遠隔操作レバー２０を運転位置から容易に操作することができる。
【０００７】
また、この遠隔操作レバー２０は、ハンドル７の低位ハンドル部７bの前方に臨む位置に配置しているので、刈取部４を大きく上昇させても、遠隔操作レバー２０のハンドル７に対する干渉を防止することができる。
【発明の効果】
【０００８】
以上要するに、本発明によれば、分草体１１を左右に回動操作する遠隔操作レバー２０は、刈取部４の最も右側に位置する引起しケース１２Ｒの右外側方の位置で、且つ、フロント操作パネル６上に突設したハンドル７の低位ハンドル部７ｂの前方に臨む位置に配置しているため、遠隔操作レバー２０を運転位置から容易に操作することができる。また、ハンドル７は、右側より左側が低く構成されているため、刈取部４を上方に大きく上昇させても、遠隔操作レバー２０がハンドル７と干渉することがなく、刈取部４の昇降範囲を大きくとることができる。
【発明を実施するための最良の形態】
【０００９】
この発明の実施例を図面に基づき説明する。
図１は、コンバインの側面図を示すものであり、この走行車体１には、左右一対の走行クローラ２，２を備え、後部に搭載した脱穀装置３の前方部に刈取部４を設置し，刈取部４の横側部には運転席５や操作ボックス６等からなる運転操作部を備え、更に、その運転操作部の後方には脱穀粒を一時的に貯留するグレンタンクＧを装備している。
【００１０】
操作ボックス６上にはアーチ状の固定ハンドル杆（ハンドル）７が突設され、この固定ハンドル杆７は、右側を上方に高くした高位ハンドル部７ａと左側を下方に低くした低位ハンドル部７ｂとからなるように構成されている。操作ボックス６の右側には、前記高位ハンドル部７ａの前側において左右方向の操作で機体の進行方向を操向制御し、前後方向の操作で刈取部４を昇降制御する操向操作レバー８が設置されている。なお、操向操作レバー８は前記高位ハンドル部７ａ上に手首を載せた状態で左右又は前後に操作する。運転席左側のサイド操作ボックス９上には変速レバー１０等が配置されている。
【００１１】
刈取部４は、立毛する穀稈を左右に分草する分草体１１，１１，１１…と、分草後の穀稈を引き起す３条の穀稈引起し装置１２，１２，１２と、引起し後の穀稈を刈り取る刈取装置１３と、刈取後の穀稈を掻込搬送する搬送装置１４等からなり、車体に対し上下に昇降可能に装備している。各分草体１２，１２…は、刈取装置１３側から前方に突設する分草支持杆１５の先端に取り付けられている。
【００１２】
運転席６側に位置する、即ち、既刈地側に位置する右分草体１１Ｒは、先端側が左内側方又は右外側方に向けて回動するよう分草支持杆１５の途中部に設けた上下方向の縦軸１６回りに回動自在に枢着している。右分草体１１Ｒと一体回動する天秤アーム１７と分草支持杆１５の基端側から突設するステー１８との間に張圧スプリング１９を設けて、右分草体１１Ｒが常時左内側方に向けて回動する方向に付勢した構成としている。右分草体１１Ｒとこれの回動操作を遠隔操作する遠隔操作レバー２０とは、ワイヤ等の連結部材２１で接続して設け、該遠隔操作レバー２０の操作により、右分草体１１Ｒを左内側、又は右外側へ回動操作する構成としている。
【００１３】
そして、遠隔操作レバー２０は、最も右側に位置する引起しケース１２Ｒの右外側方で、前記運転席５前側のフロント操作ボックス（フロント操作パネル）６上に突設した固定ハンドル杆７の低位ハンドル部７ｂに対応する前方に配置し、最右端の右引起し伝動パイプ２２から右側方に突設させた操作フレーム２３に左右横方向のピン軸２４を介して前後揺動操作可能に枢支している。従って、遠隔操作レバー２０を前方下方に押し下げ操作すると、右分草体１１Ｒの先端が左内側方に回動して分草幅が狭くなり、分草幅内に導入される穀稈量は少なくなる。また、遠隔操作レバー２０を後方上方に引き上げ操作すると、右分草体１１Ｒは右外側方へ開く方向に回動して分草幅が広くなり、導入される穀稈量が多くなるようになっている。
【００１４】
遠隔操作レバー２０を後方上方に引き上げ操作する操作荷重は、前方下方に押し下げ操作する操作荷重よりも重くしてある。つまり、該レバー２０の後方上方への引き上げ操作時は、張圧スプリング１９に抗して分草体１１Ｒが右外側方に回動するように構成することで操作荷重を重くし、押し下げ操作時は、張圧スプリングの反発作用によって分草体が速やかに回動復帰するよう操作荷重を軽くしている。遠隔操作レバーは後方上方への引き上げ操作の方が力が入りやすく操作が容易である。
【００１５】
なお、遠隔操作レバー２０を支持する操作フレーム２３は、強固に構成された引起し伝動パイプに取り付けるので、安定した支持構成が得られ、特別な支持フレームを必要とせず、安価に実施することができる。また、前記操作フレーム２３には、注油操作レバー２６を有する集中注油ポンプ２７を取り付け、引起しケース１２Ｒと操作フレーム２３との間に配置した構成としている。注油ポンプは操作フレームと引起しケース間のスペースを有効に利用でき、また、操作フレームに注油ポンプと遠隔操作レバーとを組み付けた状態で刈取部に対し着脱できるので、組立作業が容易にできる。前記注油操作レバー２６は、前後方向に操作する遠隔操作レバー２０の操作方向と直交する左右横方向の操作でポンプ２７を作動させる構成としている。注油ポンプは右引起しケース１２Ｒの後方に配置するので，穀稈が搬送されない引起しケースの右側面と後方のフロント操作ボックス６との間のスペースを有効利用することができる。
【００１６】
また、図３に示すように、遠隔操作レバー２０は、前後及び上下方向におけるどの操作軌跡位置においても、側面視で引起しケース１２Ｒより外側に位置し、正面視でレバーの先端側が引起しケース１２Ｒと重なるように、該レバーの途中部から内方に向けて折り曲げた構成としている。これによれば、運転席に着座したオペレータの運転操作位置から右分草体に向けての視界を遮ることがなく、視界良好にして分草性能を高めることができる。
【００１７】
なお、コンバインの既刈地側に位置するナローガイド２９は、右分草体１１Ｒの内外移動に伴い一体的に移動する構成とし、中割作業時におけるクローラの穀稈踏込みを防止する。
【００１８】
図８、図９に示す実施例は、正面視アーチ状の固定ハンドル杆とは異なり、操作ボックス６の外端側（右側）に、正面視で逆Ｌ字型の型持ちハンドル２５を設けたものである。即ち、この片持ちハンドル２５は、操向操作レバー８の手前側に配置すると共に、フロント操作ボックス６の外端部から片持ち状に立設支持し、操作ボックスの内端側アーチ状ハンドルのような固定ハンドル部を有しない構成としている。従って、かかる実施例によると、操作ボックスの内端側にはハンドルによる障害物がないため、刈取部の上昇時に、その前方に配置した遠隔操作レバー２０や注油操作レバー２６等との干渉がなくなる。更に、右側引起しケース１２Ｒにおいてもハンドル部の欠如した範囲内に配置することで、  刈取部の昇降範囲を大幅にアップすることができる。
【００１９】
次に図１０〜図１２に示す実施例について説明する。
多条刈のコンバインにおいて、図１０に示すように、エンジンＥから入力される刈取入力軸３０を内装軸架した入力伝動ケース３１を車体側から立設する懸架台３２上に架設し、入力伝動ケースの中間部位から前方に延びる縦フレーム３３、縦フレームの前端部から左右両側方に延びる中間横部材３４ａ及び中間横部材の両端から前方に延びる中間縦部材３４ｂ，３４ｃからなる門型フレーム３４、門型フレームの前端部に支持されて左右横方向に延びる刈取伝動ケース３５等により、刈取部４の各装置を架設して伝動可能に設け、この刈取部全体が前記刈取入力軸３０を回動支点として上下に昇降する構成としている。
【００２０】
縦フレーム３３内には縦伝動軸３６、門型フレーム３４内には中間横伝動軸３７ａ及び中間縦伝動軸３７ｂ，３７ｃが軸架され、また、刈取伝動ケース３５内には、バリカン式刈取装置１３、掻込搬送装置３８や引起し装置１２等を駆動する刈取伝動軸３９が架設され、入力伝動軸３０からベベルギヤ機構Ｇ１，Ｇ２，Ｇ３，Ｇ４，Ｇ５を介して回転駆動可能に連係されている。
【００２１】
また、図１０に示すように、刈取部４の前処理部（引起し装置、掻込搬送装置、刈取装置等）を左右に分割して左前処理部４Ｌと右前処理部４Ｒとからなるように構成している。そして、前記門型フレーム３４内部には、左右の前処理部４Ｌ，４Ｒへの動力伝達負荷を安全に保つための安全装置（安全クラッチ）Ｓ１，Ｓ２を該フレーム３４ａ，３４ａの外側に配置することによってメンテナンスの容易化を図るようにしている。
【００２２】
図１１及び図１２に示す実施例は、図１０に示すような門型フレーム３４（３４ａ，３４ｂ，３４ｃ）の構成に代えてＬ型フレーム４３を使用する構成としたものである。つまり、縦フレーム３３は入力伝動ケース３１から一方側前処理部４Ｒの刈取伝動ケース３５まで延出してストレートに連結する構成とし、Ｌ型フレーム４３は、縦フレーム３３の途中部から横方向に延びる横部材４３ａとこの横部材の端部から前方に延びて他方側前処理部４Ｌの刈取伝動ケース３５に連結する縦部材４３ｂとからなる構成とし、そして、このＬ型フレーム内の伝動軸４４ａ，４４ｂ及び刈取伝動軸３９を介して左前処理部４Ｌを駆動する構成である。
【００２３】
上記Ｌ型フレーム構成によれば、門型フレーム構成に比べ伝動構成が簡略化でき、前処理部の支持においても強固なものとすることができる。
なお、４５は入力伝動ケース３１とＬ型フレーム４３間を結ぶ補強部材で縦フレーム３３と平行に設けられている。
【００２４】
図１１に示すように、前記Ｌ型フレーム４３部には、左右の前処理部４Ｌ，４Ｒのうち、左前処理部４Ｌを外側方へ揺動開閉可能とする上下方向の縦支軸４０を設け，引起しケースの非引起し作用面同士を分割面とするように構成すると共に、引起し装置１２上部の引起し駆動軸４２を内架する引起し駆動ケース４１部及び前記刈取伝動ケース３５部を分割部位として接合分離自在に構成している。
【００２５】
また、図１１及び図１３に示すように、前記縦支軸４０による左前処理部４Ｌの回動支点は、脱穀装置３のフィードチエン３ａよりも更に左側にオフセットし、２分割した左前処理部の揺動開放量を大きくし、メンテナンスの容易化を図るようにしている。
【００２６】
更に、図１４に示すように、左前処理部４Ｌを着脱可能に構成し、取り外した部分に刈幅の異なる前処理部と入れ替えることによって、刈幅の変更可能なコンバインを構成することができる。例えば、図１１に示す４条刈幅の左前処理部４Ｌを取り外し（図１４参照）、図１５に示すような２条刈幅の前処理部４Ｌと付け替えることによって８条刈コンバインから６条刈のコンバインに変更することができる。また、図１４に示すように、左前処理部４Ｌのみ取り外すことにより、小特幅の適用範囲となって路上走行が可能となり、刈取部全体を取り外す必要がなくなる。
【図面の簡単な説明】
【００２７】
【図１】コンバインの側面図
【図２】コンバインの正面図
【図３】同上要部の平面図
【図４】同上要部の正面図
【図５】同上要部の平面図
【図６】コンバインの要部の側面図
【図７】同上要部の正面図
【図８】コンバインの正面図
【図９】同上要部の正面図、
【図１０】別実施例のコンバイン要部の伝動経路図
【図１１】別実施例のコンバイン要部の平面図
【図１２】同上要部の伝動経路図
【図１３】同上コンバイン要部の平面図
【図１４】同上要部の平面図
【図１５】同上要部の平面図
【符号の説明】
【００２８】
１    走行車体
４    刈取部
５    運転席
６    フロント操作ボックス（フロント操作パネル）
７    固定ハンドル杆（ハンドル）
７ａ  高位ハンドル部
７ｂ  低位ハンドル部
８    操向操作レバー
１１    分草体                       
１１Ｒ  右分草体
１２    引起し装置
１２Ｒ  右引起しケース
１３    刈取装置
１５    分草支持杆
１６    縦軸（上下方向の軸）
２０    遠隔操作レバー
２１    連結部材
【図１】
2008295339.tif 000003
【図２】
2008295339.tif 000004
【図３】
2008295339.tif 000005
【図４】
2008295339.tif 000006
【図５】
2008295339.tif 000007
【図６】
2008295339.tif 000008
【図７】
2008295339.tif 000009
【図８】
2008295339.tif 000010
【図９】
2008295339.tif 000011
【図１０】
2008295339.tif 000012
【図１１】
2008295339.tif 000013
【図１２】
2008295339.tif 000014
【図１３】
2008295339.tif 000015
【図１４】
2008295339.tif 000016
【図１５】
2008295339.tif 000017